(57)【要約】【課題】給紙トレイを移動する際、整流部材が妨げになることを抑制することができる給紙装置を提供することである。【解決手段】実施形態の給紙装置は、給紙トレイと、装置本体と、ファンと、整流部材と、退避機構と、を持つ。給紙トレイは、複数枚の用紙が積層した用紙束を載置可能である。整流部材は、前記給紙トレイが前記装置本体の収容部に収容された状態で、前記給紙トレイに載置された前記用紙束の上方に位置する。整流部材は、前記給紙トレイが前記収容部に収容された状態で、前記ファンからの風によって前記用紙束における最上位用紙との間に負圧を発生させる。退避機構は、前記給紙トレイの引き出し動作および押し込み動作の少なくとも一方の動作の際に前記整流部材が前記給紙トレイから退避するように前記給紙トレイの移動に連動して前記整流部材を変位させる。【選択図】図１０
2020152459.tif 000002
【特許請求の範囲】
【請求項１】
複数枚の用紙が積層した用紙束を載置可能な給紙トレイと、
前記給紙トレイを収容可能な収容部を有する装置本体と、
風を発生可能なファンと、
前記給紙トレイが前記収容部に収容された状態で、前記給紙トレイに載置された前記用紙束の上方に位置し、前記ファンからの風によって前記用紙束における最上位用紙との間に負圧を発生させる整流部材と、
前記給紙トレイの引き出し動作および押し込み動作の少なくとも一方の動作の際に前記整流部材が前記給紙トレイから退避するように前記給紙トレイの移動に連動して前記整流部材を変位させる退避機構と、を備える
給紙装置。
【請求項２】
前記退避機構は、
前記給紙トレイが前記収容部に収容された状態で前記整流部材を前記給紙トレイの内部空間に変位させ、
前記給紙トレイが前記収容部から取り出された状態で前記整流部材を前記給紙トレイの外部空間に変位させる
請求項１に記載の給紙装置。
【請求項３】
前記退避機構は、
前記装置本体に固定され、トレイ引き出し方向における前記整流部材の下流端部を第１軸の周りに回動可能に支持する第１支持部と、
前記トレイ引き出し方向における前記整流部材の上流端部を第２軸と共に変位可能に支持する長孔部を有するリンク部材と、
前記装置本体に固定され、前記トレイ引き出し方向における前記リンク部材の上流端部を第３軸の周りに回動可能に支持する第２支持部と、
前記給紙トレイに固定され、前記給紙トレイの前記引き出し動作の際に前記リンク部材に当接し、前記第２軸が上方に変位するように前記リンク部材を前記第３軸の周りに回動させることにより、前記整流部材が前記給紙トレイから退避するように前記整流部材を前記第１軸の周りに回動させる当て部材と、を備える
請求項２に記載の給紙装置。
【請求項４】
前記退避機構は、
前記装置本体に固定され、トレイ押し込み方向における前記整流部材の上流端部を第１軸の周りに回動可能に支持する第１支持部と、
前記トレイ押し込み方向における前記整流部材の下流端部を第２軸と共に変位可能に支持する長孔部を有するリンク部材と、
前記装置本体に固定され、前記トレイ押し込み方向における前記リンク部材の下流端部を第３軸の周りに回動可能に支持する第２支持部と、
前記給紙トレイに固定され、前記給紙トレイの前記押し込み動作の際に前記整流部材に当接し、前記第２軸が上方に変位するように前記整流部材を前記第１軸の周りに回動させることにより、前記リンク部材を前記第３軸の周りに回動させる当て部材と、を備える
請求項２または３に記載の給紙装置。
【請求項５】
前記リンク部材は、下方に凸の三角形状を有し、
前記リンク部材は、
前記長孔部を有する第１角部と、
前記第３軸の周りに回動可能に支持される第２角部と、
下方に凸の第３角部と、を備え、
前記当て部材は、前記給紙トレイの前記引き出し動作の際に前記リンク部材の前記第３角部に当接する
請求項３または４に記載の給紙装置。
【請求項６】
前記当て部材は、トレイ引き出し方向における前記当て部材の下流端から上流側に向けて窪み、前記給紙トレイが前記収容部に収容された状態で前記リンク部材の前記第３角部が入り込む凹部を有する
請求項５に記載の給紙装置。
【請求項７】
前記整流部材は、複数設けられ、
複数の前記整流部材は、第１整流部材と、トレイ引き出し方向における前記第１整流部材の下流側に配置された第２整流部材と、を備え、
前記退避機構は、
前記装置本体に固定され、前記トレイ引き出し方向における前記第２整流部材の上流端部を第４軸の周りに回動可能に支持する第３支持部と、
前記トレイ引き出し方向における前記整流部材の下流端部を第５軸と共に変位可能に支持する第２長孔部を有する第２リンク部材と、
前記装置本体に固定され、前記トレイ引き出し方向における前記第２リンク部材の下流端部を第６軸の周りに回動可能に支持する第４支持部と、を更に備え、
前記当て部材は、前記給紙トレイの前記引き出し動作の際に前記第２整流部材に当接し、前記第５軸が上方に変位するように前記第２整流部材を前記第４軸の周りに回動させることにより、前記第２リンク部材を前記第６軸の周りに回動させる
請求項３から６のいずれか一項に記載の給紙装置。
【請求項８】
前記整流部材は、複数設けられ、
複数の前記整流部材は、第１整流部材と、トレイ押し込み方向における前記第１整流部材の上流側に配置された第２整流部材と、を備え、
前記退避機構は、
前記装置本体に固定され、前記トレイ押し込み方向における前記第２整流部材の下流端部を第４軸の周りに回動可能に支持する第３支持部と、
前記トレイ押し込み方向における前記整流部材の上流端部を第５軸と共に変位可能に支持する第２長孔部を有する第２リンク部材と、
前記装置本体に固定され、前記トレイ押し込み方向における前記第２リンク部材の上流端部を第６軸の周りに回動可能に支持する第４支持部と、を更に備え、
前記当て部材は、前記給紙トレイの前記押し込み動作の際に前記第２リンク部材に当接し、前記第５軸が上方に変位するように前記第２リンク部材を前記第６軸の周りに回動させることにより、前記第２整流部材が前記給紙トレイから退避するように前記第２整流部材を前記第４軸の周りに回動させる
請求項３から７のいずれか一項に記載の給紙装置。
【請求項９】
前記第２リンク部材は、Ｖ字形状を有し、
前記第２リンク部材は、
前記第２長孔部を有する第１延在部と、
前記第１延在部に連結され、下方に指向する第２延在部と、を備え、
前記当て部材は、前記給紙トレイの前記押し込み動作の際に前記第２リンク部材の前記第２延在部に当接する
請求項７または８に記載の給紙装置。
【請求項１０】
前記退避機構は、
前記装置本体に固定され、前記整流部材を上下方向に変位可能に支持するピン部材と、
前記給紙トレイに設けられ、前記給紙トレイの引き出し動作および押し込み動作の少なくとも一方の動作の際に前記整流部材に当接し、前記整流部材が前記給紙トレイから退避するように前記給紙トレイの移動に連動して前記整流部材を上方に変位させる当接部と、を備える
請求項２に記載の給紙装置。
【請求項１１】
前記ピン部材は、複数設けられ、
複数の前記ピン部材は、
トレイ引き出し方向における前記整流部材の上流部を上下方向に変位可能に支持する第１ピン部材と、
前記トレイ引き出し方向における前記整流部材の下流部を上下方向に変位可能に支持する第２ピン部材と、を備える
請求項１０に記載の給紙装置。
【請求項１２】
前記退避機構は、
前記整流部材を支持し、前記装置本体に回動可能に連結される連結部材と、
前記給紙トレイに設けられ、前記給紙トレイの引き出し動作および押し込み動作の少なくとも一方の動作の際に前記整流部材に当接し、前記整流部材が前記給紙トレイから退避するように前記給紙トレイの移動に連動して前記整流部材を上方に変位させる当接部と、を備える
請求項２に記載の給紙装置。
【請求項１３】
前記連結部材は、複数設けられ、
複数の前記連結部材は、
トレイ引き出し方向における前記整流部材の上流部を支持し、前記装置本体に回動可能に連結される第１連結部材と、
前記トレイ引き出し方向における前記整流部材の下流部を支持し、前記装置本体に回動可能に連結される第２連結部材と、を備える
請求項１２に記載の給紙装置。
【請求項１４】
前記連結部材は、前記整流部材を回動可能に支持する下部回動部を備える
請求項１２または１３に記載の給紙装置。
【請求項１５】
前記整流部材は、下方に向けて凸をなすように湾曲する湾曲下面を有し、
前記給紙トレイは、トレイ引き出し方向における前記給紙トレイの上流端部に配置されたトレイ側板を備え、
前記当接部は、前記トレイ側板の上端部に設けられ、前記給紙トレイの引き出し動作および押し込み動作の少なくとも一方の動作の際に前記湾曲下面に当接する
請求項１０から１４のいずれか一項に記載の給紙装置。
【請求項１６】
前記当接部は、鉛直線に対して斜めに傾斜するテーパー形状を有する
請求項１０から１５のいずれか一項に記載の給紙装置。
【請求項１７】
前記給紙トレイは、トレイ引き出し方向における前記給紙トレイの上流端部および下流端部の少なくとも一方に配置されたトレイ側板を備え、
前記トレイ側板は、前記ファンからの風が前記最上位用紙の上面と前記整流部材の下面との間に向けて流れるように開口する送風口を有する
請求項１から１６のいずれか一項に記載の給紙装置。
【請求項１８】
前記給紙トレイは、前記用紙束を載置可能な用紙載置部を有し、
前記ファンは、前記給紙トレイにおける前記用紙載置部とは反対側の側部に固定され、
前記ファンは、前記送風口に向けて開口する吹き出し口を有する
請求項１７に記載の給紙装置。
【請求項１９】
前記トレイ側板は、上下方向に延在し、
前記送風口は、前記トレイ側板の上端部に位置し、
前記ファンの前記吹き出し口からの風が前記トレイ側板の前記送風口に向けて流れるように前記トレイ側板の上端部と前記ファンとを接続するダクトを更に備える
請求項１８に記載の給紙装置。
【請求項２０】
前記退避機構は、前記送風口を避けた位置に配置されている
請求項１７から１９のいずれか一項に記載の給紙装置。
【請求項２１】
前記整流部材は、翼型形状を有する
請求項１から２０のいずれか一項に記載の給紙装置。
【請求項２２】
請求項１から２１のいずれか一項に記載の給紙装置を備える
画像形成装置。
【請求項２３】
複数枚の薄膜電極が積層した電極束を載置可能な電極供給トレイと、
前記電極供給トレイを収容可能な収容部を有する装置本体と、
風を発生可能なファンと、
前記電極供給トレイが前記収容部に収容された状態で、前記電極供給トレイに載置された前記電極束の上方に位置し、前記ファンからの風によって前記電極束における最上位電極との間に負圧を発生させる整流部材と、
前記電極供給トレイの引き出し動作および押し込み動作の少なくとも一方の動作の際に前記整流部材が前記電極供給トレイから退避するように前記電極供給トレイの移動に連動して前記整流部材を変位させる退避機構と、を備える
電極供給装置。
【発明の詳細な説明】
【技術分野】
【０００１】
本発明の実施形態は、給紙装置、画像形成装置および電極供給装置に関する。
【背景技術】
【０００２】
給紙装置は、給紙トレイを備える。給紙トレイは、複数枚の用紙が積層した用紙束を載置可能である。例えば、給紙トレイに載置された用紙束の上面には、ピックアップローラが接触している。ピックアップローラが回転することによって、給紙トレイの外に用紙が繰り出される。
【０００３】
ところで、給紙装置においては、給紙トレイに載置された用紙束から用紙を一枚ずつ搬送することが求められている。用紙が複数枚重なった状態で送り出されること（重送）を回避するためには、給紙トレイに載置された用紙束のうち最も上に位置する用紙（以下「最上位用紙」という。）を用紙束から分離することが必要である。
【０００４】
最上位用紙を用紙束から分離するために、給紙装置は、給紙トレイに載置された用紙束の上方に位置する整流部材を備える。整流部材は、ファンからの風によって最上位用紙との間に負圧を発生させる。しかし、整流部材が給紙トレイに載置された用紙束の上方に位置する場合、用紙補給などのために給紙トレイを取り出す際、整流部材が妨げになる可能性がある。
【先行技術文献】
【特許文献】
【０００５】
【特許文献１】特開２０１０−５８９１７号公報
【発明の概要】
【発明が解決しようとする課題】
【０００６】
本発明が解決しようとする課題は、給紙トレイを移動する際、整流部材が妨げになることを抑制することができる給紙装置、画像形成装置および電極供給装置を提供することである。
【課題を解決するための手段】
【０００７】
実施形態の給紙装置は、給紙トレイと、装置本体と、ファンと、整流部材と、退避機構と、を持つ。給紙トレイは、複数枚の用紙が積層した用紙束を載置可能である。装置本体は、前記給紙トレイを収容可能な収容部を有する。ファンは、風を発生可能である。整流部材は、前記給紙トレイが前記収容部に収容された状態で、前記給紙トレイに載置された前記用紙束の上方に位置する。整流部材は、前記給紙トレイが前記収容部に収容された状態で、前記ファンからの風によって前記用紙束における最上位用紙との間に負圧を発生させる。退避機構は、前記給紙トレイの引き出し動作および押し込み動作の少なくとも一方の動作の際に前記整流部材が前記給紙トレイから退避するように前記給紙トレイの移動に連動して前記整流部材を変位させる。
【図面の簡単な説明】
【０００８】
【図１】第１実施形態の給紙装置を示す斜視図。
【図２】第１実施形態の給紙装置が隣接する画像形成装置を示す斜視図。
【図３】第１実施形態の装置本体を示す斜視図。
【図４】第１実施形態の給紙トレイの斜視図。
【図５】第１実施形態の給紙トレイを図４の反対側から見た斜視図。
【図６】第１実施形態の給紙トレイの上面図。
【図７】第１実施形態の給紙トレイの側面図。
【図８】図７の要部拡大図であって、退避機構のトレイ引き出し方向上流部を示す側面図。
【図９】図７の要部拡大図であって、退避機構のトレイ引き出し方向下流部を示す側面図。
【図１０】第１実施形態の給紙トレイの要部を示す斜視図。
【図１１】図１０の要部拡大図であって、トレイ引き出し方向上流部を示す斜視図。
【図１２】第１実施形態の退避機構のトレイ引き出し方向上流部を示す上面図。
【図１３】第１実施形態の給紙トレイの引き出し動作を示す側面図。
【図１４】図１３に続く、給紙トレイの引き出し動作を示す側面図。
【図１５】図１４に続く、給紙トレイの引き出し動作を示す側面図。
【図１６】図１５に続く、給紙トレイの引き出し動作を示す側面図。
【図１７】第１実施形態の給紙トレイの押し込み動作を示す側面図。
【図１８】図１７に続く、給紙トレイの押し込み動作を示す側面図。
【図１９】図１８に続く、給紙トレイの押し込み動作を示す側面図。
【図２０】図１９に続く、給紙トレイの押し込み動作を示す側面図。
【図２１】第１実施形態の給紙トレイの引き出し動作の際の退避機構のトレイ引き出し方向上流部の動作説明図。図２１（Ａ）は給紙トレイの初期位置を示す側面図。図２１（Ｂ）は給紙トレイを初期位置よりもトレイ引き出し方向下流位置に移動させた状態を示す側面図。図２１（Ｃ）は給紙トレイを図２１（Ｂ）の位置よりもトレイ引き出し方向下流位置に移動させた状態を示す側面図。図２１（Ｄ）は給紙トレイを図２１（Ｃ）の位置よりもトレイ引き出し方向下流位置に移動させた状態を示す側面図。図２１（Ｅ）は給紙トレイを図２１（Ｄ）の位置よりもトレイ引き出し方向下流位置に移動させた状態を示す側面図。
【図２２】第１実施形態の給紙トレイの引き出し動作の際の退避機構のトレイ引き出し方向下流部の動作説明図。図２２（Ａ）は給紙トレイを図２１（Ｅ）の位置よりもトレイ引き出し方向下流位置に移動させた状態を示す側面図。図２２（Ｂ）は給紙トレイを図２２（Ａ）の位置よりもトレイ引き出し方向下流位置に移動させた状態を示す側面図。図２２（Ｃ）は給紙トレイを図２２（Ｂ）の位置よりもトレイ引き出し方向下流位置に移動させた状態を示す側面図。図２２（Ｄ）は給紙トレイを図２２（Ｃ）の位置よりもトレイ引き出し方向下流位置に移動させた状態を示す側面図。図２２（Ｅ）は給紙トレイを図２２（Ｄ）の位置よりもトレイ引き出し方向下流位置に移動させた状態を示す側面図。
【図２３】第１実施形態の給紙トレイの押し込み動作の際の退避機構のトレイ押し込み方向上流部の動作説明図。図２３（Ａ）は給紙トレイの取り出し位置を示す側面図。図２３（Ｂ）は給紙トレイを図２３（Ａ）の位置よりもトレイ押し込み方向下流位置に移動させた状態を示す側面図。図２３（Ｃ）は給紙トレイを図２３（Ｂ）の位置よりもトレイ押し込み方向下流位置に移動させた状態を示す側面図。図２３（Ｄ）は給紙トレイを図２３（Ｃ）の位置よりもトレイ押し込み方向下流位置に移動させた状態を示す側面図。図２３（Ｅ）は給紙トレイを図２３（Ｄ）の位置よりもトレイ押し込み方向下流位置に移動させた状態を示す側面図。
【図２４】第１実施形態の給紙トレイの押し込み動作の際の退避機構のトレイ押し込み方向下流部の動作説明図。図２４（Ａ）は給紙トレイを図２３（Ｅ）の位置よりもトレイ押し込み方向下流位置に移動させた状態を示す側面図。図２４（Ｂ）は給紙トレイを図２４（Ａ）の位置よりもトレイ押し込み方向下流位置に移動させた状態を示す側面図。図２４（Ｃ）は給紙トレイを図２４（Ｂ）の位置よりもトレイ押し込み方向下流位置に移動させた状態を示す側面図。図２４（Ｄ）は給紙トレイを図２４（Ｃ）の位置よりもトレイ押し込み方向下流位置に移動させた状態を示す側面図。図２４（Ｅ）は給紙トレイを図２４（Ｄ）の位置よりもトレイ押し込み方向下流位置に移動させた状態を示す側面図。
【図２５】第２実施形態の退避機構の動作説明図。図２５（Ａ）は給紙トレイの初期位置を示す側面図。図２５（Ｂ）は給紙トレイを初期位置よりもトレイ引き出し方向下流位置に移動させた状態を示す側面図。
【図２６】第２実施形態の変形例のトレイ側板の側面図。
【図２７】第３実施形態の退避機構の動作説明図。図２７（Ａ）は給紙トレイの初期位置を示す側面図。図２７（Ｂ）は給紙トレイを初期位置よりもトレイ引き出し方向下流位置に移動させた状態を示す側面図。
【図２８】第３実施形態のトレイ側板および整流部材の配置説明図。
【発明を実施するための形態】
【０００９】
以下、第１実施形態の給紙装置を、図面を参照して説明する。なお、各図において、同一構成については同一の符号を付す。
【００１０】
給紙装置について説明する。
図１は、第１実施形態の給紙装置１を示す斜視図である。図２は、第１実施形態の給紙装置１が隣接する画像形成装置９０を示す斜視図である。以下の説明では、必要に応じてＸ，Ｙ，Ｚの直交座標系を用いて説明する。水平面内の所定方向をＸ方向、水平面内においてＸ方向と直交する方向をＹ方向、Ｘ方向及びＹ方向のそれぞれと直交する方向（すなわち鉛直方向）をＺ方向とする。Ｘ方向、Ｙ方向およびＺ方向のうち、図中矢印方向をプラス（＋）方向とし、矢印とは反対の方向をマイナス（−）方向とする。＋Ｘ方向を前方、−Ｘ方向を後方、＋Ｙ方向を右方、−Ｙ方向を左方、＋Ｚ方向を上方、−Ｚ方向を下方とする。
【００１１】
図１に示すように、給紙装置１は、給紙トレイ２、装置本体３、ファン４、ダクト５、整流部材６および退避機構７を備える（図１０参照）。例えば、給紙装置１は、プリンタ等の画像形成装置９０（図２参照）に隣接して配置される。
【００１２】
画像形成装置９０について説明する。
例えば、画像形成装置９０は、複合機（ＭＦＰ：MultiFunction Printer）である。例えば、画像形成装置９０は、トナー等の現像剤を用いて用紙に画像を形成する。例えば、用紙は、紙またはラベル用紙である。用紙は、その表面に画像が形成できるものであればどのようなものであってもよい。図２の例では、画像形成装置９０は、ディスプレイ９１、プリント部９２、コントロールパネル部９３、用紙収容部９４および画像読取部９５を備える。用紙収容部９４は、上下方向（Ｚ方向）に並ぶ複数段のカセットを備える。例えば、実施形態の給紙装置１は、用紙収容部９４の側部（＋Ｙ方向側部）に隣接して配置される。実施形態の給紙装置１は、画像形成装置９０の用紙収容部９４の用紙収容量を拡張するための大容量拡張ユニットとして機能する。
【００１３】
給紙トレイ２について説明する。
図７に示すように、給紙トレイ２は、複数枚の用紙が積層した用紙束１０を載置可能である。例えば、給紙トレイ２は、数千枚の用紙が積層した用紙束１０を載置可能である。用紙は、シート状の記録媒体である。給紙トレイ２は、用紙束１０を下方から支持する。給紙トレイ２は、用紙束１０の周囲を囲む。給紙トレイ２は、上方に開放する箱状を有する。給紙トレイ２は、複数種類の用紙サイズに対応した外形を有する。
【００１４】
給紙トレイ２は、装置本体３から矢印Ｊ１方向に引き出し可能である（図１参照）。以下、矢印Ｊ１方向を「トレイ引き出し方向Ｊ１」ともいう。給紙トレイ２は、トレイ引き出し方向Ｊ１に長手を有する。図中において、矢印Ｊ２はトレイ引き出し方向Ｊ１とは反対方向（以下「トレイ押し込み方向Ｊ２」ともいう。）、矢印Ｗ１はトレイ引き出し方向Ｊ１と直交しかつ用紙の載置面２６ａ（図４参照）と平行な装置幅方向をそれぞれ示す。
【００１５】
図４に示すように、給紙トレイ２は、蓋部２０、第１側部２１、第２側部２２（図５参照）、第３側部２３、第４側部２４、底部２５、用紙載置部２６、第１トレイ側板２７および第２トレイ側板２８（図５参照）を備える。
【００１６】
蓋部２０は、トレイ引き出し方向Ｊ１において給紙トレイ２の下流端部を構成する。言い換えると、蓋部２０は、トレイ押し込み方向Ｊ２において給紙トレイ２の上流端部を構成する。蓋部２０は、給紙トレイ２が装置本体３の収容部３０（図３参照）に収容された状態で収容部３０を塞ぐ。蓋部２０は、矩形状の外形を有する。蓋部２０は、使用者が把持可能な把持部２０ａを有する。
【００１７】
第１側部２１は、トレイ引き出し方向Ｊ１において給紙トレイ２の上流端部を構成する。第１側部２１は、蓋部２０よりも小さい外形を有する。
第２側部２２（図５参照）は、トレイ引き出し方向Ｊ１において第１側部２１とは反対側に位置する。第２側部２２は、用紙載置部２６を介して第１側部２１と対向する。
【００１８】
第３側部２３は、装置幅方向Ｗ１において給紙トレイ２の一側部（左側部）を構成する。第３側部２３は、第１側部２１、第２側部２２および底部２５に連結される。
第４側部２４は、装置幅方向Ｗ１において第３側部２３とは反対側（右側）に位置する。第４側部２４は、第２側部２２（図５参照）と間隔をあけて配置される。第４側部２４は、第１側部２１および底部２５に連結される。第４側部２４は、用紙載置部２６（第１トレイ側板２７）を介して第３側部２３と対向する。
【００１９】
底部２５は、給紙トレイ２の最下部を構成する。
用紙載置部２６は、底部２５の上面に配置される。用紙載置部２６は、用紙束１０を載置可能な載置面２６ａ（上面）を有する。用紙載置部２６は、第１挿通孔２６ｈおよび第２挿通孔２６ｉを有する。第１挿通孔２６ｈは、第１側部２１寄りに位置する。第２挿通孔２６ｉは、第２側部２２寄りに位置する。
【００２０】
第１トレイ側板２７は、トレイ引き出し方向Ｊ１における給紙トレイ２の上流端部に配置される。第１トレイ側板２７は、装置幅方向Ｗ１における給紙トレイ２の中央部に位置する（図６参照）。第１トレイ側板２７は、上下方向に延在する。第１トレイ側板２７は、用紙束１０の後方（トレイ引き出し方向Ｊ１の上流側）から用紙束１０に当接することにより、用紙束１０をトレイ引き出し方向Ｊ１で位置決めする整合部材として機能する（図７参照）。
【００２１】
図７に示すように、第１トレイ側板２７は、第１ファン４Ａからの風が最上位用紙１１の上面と第１整流部材６Ａの下面との間に向けて流れるように開口する送風口２７ａ（以下「第１送風口２７ａ」ともいう。）を有する。第１送風口２７ａは、第１トレイ側板２７の上端部に位置する。第１送風口２７ａは、装置幅方向Ｗ１における最上位用紙１１の中央部に位置する（図６参照）。
【００２２】
第２トレイ側板２８は、トレイ引き出し方向Ｊ１における給紙トレイ２の下流端部に配置される。第２トレイ側板２８は、装置幅方向Ｗ１における給紙トレイ２の中央部に位置する（図６参照）。第２トレイ側板２８は、上下方向に延在する。第２トレイ側板２８は、用紙束１０の前方（トレイ引き出し方向Ｊ１の下流側）から用紙束１０に当接することにより、用紙束１０をトレイ引き出し方向Ｊ１で位置決めする整合部材として機能する。
【００２３】
第２トレイ側板２８は、第２ファン４Ｂからの風が最上位用紙１１の上面と第２整流部材６Ｂの下面との間に向けて流れるように開口する送風口２８ａ（以下「第２送風口２８ａ」ともいう。）を有する。第２送風口２８ａは、第２トレイ側板２８の上端部に位置する。第２送風口２８ａは、装置幅方向Ｗ１における最上位用紙１１の中央部に位置する（図６参照）。
【００２４】
装置本体３について説明する。
図３に示すように、装置本体３は、給紙トレイ２（図４参照）を収容可能な収容部３０を有する。装置本体３は、トレイ引き出し方向Ｊ１（前方）に開放する箱状を有する。図中符号３８は、装置本体３を移動可能に支持するキャスターを示す。
【００２５】
装置本体３は、天壁３１、第１側壁３２、第２側壁３３、第３側壁３４およびピックアップローラ３５を備える。
天壁３１は、装置本体３の最上部（天井部）を構成する。天壁３１は、トレイ引き出し方向Ｊ１に延在する。
【００２６】
第１側壁３２は、トレイ引き出し方向Ｊ１において装置本体３の上流端部（後端部）を構成する。第１側壁３２は、トレイ引き出し方向Ｊ１における天壁３１の上流端部に連結される。
第２側壁３３は、装置幅方向Ｗ１において装置本体３の一側部（左側部）を構成する。第２側壁３３は、装置幅方向Ｗ１における第１側壁３２の一端部に連結される。
第３側部２３は、装置幅方向Ｗ１において装置本体３の他側部（右側部）を構成する。第３側部２３は、装置幅方向Ｗ１における第１側壁３２の他端部に連結される。
【００２７】
ピックアップローラ３５は、給紙トレイ２（図４参照）に載置されている未使用の用紙を給紙するためのローラである。図中符号３９は、第２側壁３３の上端部と天壁３１との間に形成された隙間を示す。ピックアップローラ３５は、隙間３９を通じて給紙トレイ２から用紙を取り出す。ピックアップローラ３５は、用紙搬送方向Ｋ１における装置本体６の下流端部に位置する。ピックアップローラ３５は、給紙トレイ２に載置された用紙束１０の上面２１ａ（図７参照）に接触している。ピックアップローラ３５は、モータ等を含む駆動機構（不図示）に接続されている。駆動機構の動作によりピックアップローラ３５が回転することによって、給紙トレイ２の外に用紙が繰り出される。繰り出された用紙は、画像形成装置９０（図２参照）に供給される。
【００２８】
ファン４について説明する。
ファン４は、風を発生可能である。実施形態において、ファン４は複数（例えば２つ）設けられる。図７に示すように、ファン４は、給紙トレイ２における用紙載置部２６とは反対側の側部に固定されている。以下、給紙トレイ２の第１側部２１に固定されたファン４を「第１ファン４Ａ」、給紙トレイ２の第２側部２２に固定されたファン４を「第２ファン４Ｂ」ともいう。
【００２９】
第１ファン４Ａは、第１送風口２７ａに向けて開口する吹き出し口４Ａｈを有する。第１ファン４Ａの吹き出し口４Ａｈは、上方に向けて開口する。
第２ファン４Ｂは、第２送風口２８ａに向けて開口する吹き出し口４Ｂｈを有する。第２ファン４Ａの吹き出し口４Ｂｈは、上方に向けて開口する。
【００３０】
ダクト５について説明する。
実施形態において、ダクト５は複数（例えば２つ）設けられる。ダクト５は、ファン４に接続される。以下、第１ファン４Ａに接続されたダクト５を「第１ダクト５Ａ」、第２ファン４Ｂに接続されたダクト５を「第２ダクト５Ｂ」ともいう。
【００３１】
第１ダクト５Ａは、給紙トレイ２の第１側部２１に固定される。第１ダクト５Ａは、第１ファン４Ａの吹き出し口４Ａｈからの風が第１送風口２７ａに向けて流れるように第１トレイ側板２７の上端部と第１ファン４Ａとを接続する。
第２ダクト５Ｂは、給紙トレイ２の第２側部２２に固定される。第２ダクト５Ｂは、第２ファン４Ｂの吹き出し口４Ａｈからの風が第２送風口２８ａに向けて流れるように第２トレイ側板２８の上端部と第２ファン４Ｂとを接続する。
【００３２】
整流部材６について説明する。
図７に示すように、整流部材６は、給紙トレイ２が装置本体３の収容部３０（図３参照）に収容された状態（以下「トレイ収容状態」ともいう。）で、給紙トレイ２に載置された用紙束１０の上方に位置する。整流部材６は、トレイ収容状態で、ファン４からの風によって用紙束１０における最上位用紙１１との間に負圧を発生させる。実施形態において、整流部材６は、給紙トレイ２に載置された用紙束１０の上方に複数（例えば２つ）配置される。整流部材６は、装置本体３の天壁３１（図３参照）に連結される。以下、トレイ引き出し方向Ｊ１における天壁３１（図３参照）の上流部に配置された整流部材６を「第１整流部材６Ａ」、トレイ引き出し方向Ｊ１における天壁３１（図３参照）の下流部に配置された整流部材６を「第２整流部材６Ｂ」ともいう。
【００３３】
第１整流部材６Ａは、トレイ収容状態で第１ファン４Ａの側に位置する。第１整流部材６Ａは、トレイ収容状態で最上位用紙１１の上方に位置する。第１整流部材６Ａは、トレイ収容状態で、第１ファン４Ａからの風によって最上位用紙１１との間に負圧を発生させる。第１整流部材６Ａの最下面は、第１送風口２７ａの上端よりも下方に位置する。
【００３４】
第２整流部材６Ｂは、トレイ収容状態で第２ファン４Ｂの側に位置する。第２整流部材６Ｂは、トレイ収容状態で最上位用紙１１の上方に位置する。第２整流部材６Ｂは、トレイ引き出し方向Ｊ１における第１整流部材６Ａの下流側に配置される。第２整流部材６Ｂは、トレイ収容状態で、第２ファン４Ｂからの風によって最上位用紙１１との間に負圧を発生させる。第２整流部材６Ｂの最下面は、第２送風口２８ａの上端よりも下方に位置する。
【００３５】
整流部材６は、翼型形状を有する。例えば、整流部材６は、飛行機の翼（主翼）と上下逆の形状を有する。整流部材６は、隙間を有しない連続した翼型形状をなしている。図６に示すように、整流部材６は、装置幅方向Ｗ１に一定の長さを有する。整流部材６は、最上位用紙１１の上面２１ａと平行な方向に延在している。整流部材６は、装置幅方向Ｗ１において連続して延在している。
【００３６】
図８に示すように、整流部材６は、用紙束１０における最上位用紙１１との間に間隔をあけて配置される。整流部材６の下部は、最上位用紙１１の上面２１ａと対向している。整流部材６は、実質的に水平な直線状をなす上面６ｆ１を有する。整流部材６は、下方に向けて凸をなすように湾曲する下面６ｆ２（以下「湾曲下面６ｆ２」ともいう。）を有する。
【００３７】
第１整流部材６Ａの湾曲下面６ｆ２は、第１送風口２７ａから離れるに従って徐々に上方に位置するように傾斜している。図中符号６ｊ１，６ｊ２は、第１整流部材６Ａを装置本体３の天壁３１（図３参照）に連結するための一対の連結凸部（第１連結凸部および第２連結凸部）を示す。第１連結凸部６ｊ１は、トレイ引き出し方向Ｊ１における第１整流部材６Ａの上流端部から上方に突出している。第２連結凸部６ｊ２は、トレイ引き出し方向Ｊ１における第１整流部材６Ａの下流端部から上方に突出している。
【００３８】
図９に示すように、第２整流部材６Ｂの湾曲下面６ｆ２は、第２送風口２８ａから離れるに従って徐々に上方に位置するように傾斜している。図中符号６ｊ３，６ｊ４は、第２整流部材６Ｂを装置本体３の天壁３１（図３参照）に連結するための一対の連結凸部（第３連結凸部および第４連結凸部）を示す。第３連結凸部６ｊ３は、トレイ引き出し方向Ｊ１における第２整流部材６Ｂの上流端部から上方に突出している。第４連結凸部６ｊ４は、トレイ引き出し方向Ｊ１における第２整流部材６Ｂの下流端部から上方に突出している。
【００３９】
退避機構７について説明する。
退避機構７は、給紙トレイ２の引き出し動作および押し込み動作の両動作の際に第１整流部材６Ａおよび第２整流部材６Ｂのそれぞれが給紙トレイ２から退避するように給紙トレイ２の移動に連動して第１整流部材６Ａおよび第２整流部材６Ｂのそれぞれを変位させる。
【００４０】
図７に示すように、退避機構７は、トレイ収容状態で整流部材６を給紙トレイ２の内部空間２ｓ１に変位させる。給紙トレイ２の内部空間２ｓ１は、給紙トレイ２の第１側部２１、第２側部２２、第３側部２３および第４側部２４によって区画され、かつ、上方に開放する空間を意味する。退避機構７は、トレイ収容状態で、整流部材６を給紙トレイ２の第１側部２１と第２側部２２との間の空間に変位させる。
【００４１】
退避機構７は、給紙トレイ２が収容部３０（図３参照）から取り出された状態（以下「トレイ取り出し状態」ともいう。）で整流部材６を給紙トレイ２の外部空間２ｓ２に変位させる。給紙トレイ２の外部空間２ｓ２は、給紙トレイ２の第１側部２１、第２側部２２、第３側部２３および第４側部２４によって区画される空間の外であって、上方に開放する空間を意味する。退避機構７は、トレイ取り出し状態で、整流部材６を給紙トレイ２の第１側部２１の外、または第２側部２２の外に変位させる。
【００４２】
退避機構７は、第１支持部７０、第１リンク部材７１（リンク部材）、第２支持部７２、当て部材７３、第３支持部７４、第２リンク部材７５および第４支持部７６を備える。退避機構７は、各送風口２７ａ，２８ａを避けた位置に配置されている。第１送風口２７ａをトレイ引き出し方向Ｊ１下流側（前側）から見たとき、退避機構７は、第１送風口２７ａと重ならない位置に配置されている。第２送風口２８ａをトレイ引き出し方向Ｊ１上流側（後側）から見たとき、退避機構７は、第２送風口２８ａと重ならない位置に配置されている。
【００４３】
図１１に示すように、第１支持部７０は、装置本体３の天壁３１（図２１（Ａ）参照）に固定される。第１支持部７０は、給紙トレイ２の移動に連動して、第１整流部材６Ａを第１軸Ｃ１（装置幅方向Ｗ１と実質的に平行な軸）の周りに回動可能に支持する。給紙トレイ２の引き出し動作において、第１支持部７０は、トレイ引き出し方向Ｊ１における第１整流部材６Ａの下流端部を第１軸Ｃ１の周りに回動可能に支持する。一方、給紙トレイ２の押し込み動作において、第１支持部７０は、トレイ押し込み方向Ｊ２における第１整流部材６Ａの上流端部を第１軸Ｃ１の周りに回動可能に支持する。第１支持部７０は、第２連結凸部６ｊ２を挟むように下方に開放するＵ字状（逆Ｕ字状）を有する。
【００４４】
第１リンク部材７１は、給紙トレイ２の移動に連動して、第１整流部材６Ａと第２支持部７２とを連結（連係）する。給紙トレイ２の引き出し動作において、第１リンク部材７１は、トレイ引き出し方向Ｊ１における第１整流部材６Ａの上流端部を第２軸Ｃ２（第１軸Ｃ１と実質的に平行な軸）と共に変位可能に支持する第１長孔部７１ａ（長孔部）を有する。一方、給紙トレイ２の押し込み動作において、第１長孔部７１ａは、トレイ押し込み方向Ｊ２における第１整流部材６Ａの下流端部を第２軸Ｃ２と共に変位可能に支持する。
【００４５】
図８に示すように、第１リンク部材７１は、下方に凸の三角形状を有する。第１リンク部材７１は、第１角部７１ｂ１、第２角部７１ｂ２および第３角部７１ｂ３を備える。
第１角部７１ｂ１は、第１長孔部７１ａを有する。第１長孔部７１ａは、第１リンク部材７１の一辺（上辺）に沿って延在する。
第２角部７１ｂ２は、第３軸Ｃ３の周りに回動可能に支持される。
第３角部７１ｂ３は、下方に凸を有する。
【００４６】
第２支持部７２は、装置本体３の天壁３１（図２１（Ａ）参照）に固定される。第２支持部７２は、給紙トレイ２の移動に連動して、第１リンク部材７１の第３角部７１ｂ３を第３軸Ｃ３（第１軸Ｃ１と実質的に平行な軸）の周りに回動可能に支持する。給紙トレイ２の引き出し動作において、第２支持部７２は、トレイ引き出し方向Ｊ１における第１リンク部材７１の上流端部を第３軸Ｃ３の周りに回動可能に支持する。一方、給紙トレイ２の押し込み動作において、第２支持部７２は、トレイ押し込み方向Ｊ２における第１リンク部材７１の下流端部を第３軸Ｃ３の周りに回動可能に支持する。第２支持部７２は、第１リンク部材７１の一面に沿う側面を有するＬ字状をなしている（図１１参照）。
【００４７】
図１１に示すように、当て部材７３は、給紙トレイ２の第１トレイ側板２７の上端部に固定されている。図中において、符号８０は当て部材７３を第１トレイ側板２７の上端部に固定するための固定プレート、符号８１（図１２参照）は第１リンク部材７１の回動位置を規制するための第１ストッパ、符号８２（図８参照）は当て部材７３と固定プレート８０との間隔（当て部材７３の上下方向位置）を設定するためのスペーサをそれぞれ示す。
【００４８】
当て部材７３は、給紙トレイ２の移動に連動して第１リンク部材７１または第１整流部材６Ａに当接する。
当て部材７３は、給紙トレイ２の引き出し動作の際に第１リンク部材７１の第３角部７１ｂ３（下方凸部）に当接し、第２軸Ｃ２が上方に変位するように第１リンク部材７１を第３軸Ｃ３の周りに回動させる。これにより、当て部材７３は、第１整流部材６Ａが給紙トレイ２から退避するように第１整流部材６Ａを第１軸Ｃ１の周りに回動させる。
【００４９】
当て部材７３は、給紙トレイ２の押し込み動作の際に第１整流部材６Ａの湾曲下面６ｆ２に当接し、第２軸Ｃ２が上方に変位するように第１整流部材６Ａを第１軸Ｃ１の周りに回動させる。これにより、当て部材７３は、第１リンク部材７１を第３軸Ｃ３の周りに回動させる。
【００５０】
図１２に示すように、当て部材７３は、トレイ引き出し方向Ｊ１における当て部材７３の下流端から上流側に向けて直線状に窪む凹部７３ａを有する。トレイ収容状態で、第１リンク部材７１の第３角部７１ｂ３は、当て部材７３の凹部７３ａに入り込む（図１１参照）。
【００５１】
図１０に示すように、第３支持部７４は、装置本体３の天壁３１（図２２（Ａ）参照）に固定される。第３支持部７４は、トレイ引き出し方向Ｊ１における第１支持部７０の下流側に配置される。第３支持部７４は、給紙トレイ２の移動に連動して、第２整流部材６Ｂを第４軸Ｃ４（装置幅方向Ｗ１と実質的に平行な軸）の周りに回動可能に支持する。
【００５２】
給紙トレイ２の引き出し動作において、第３支持部７４は、トレイ引き出し方向Ｊ１における第２整流部材６Ｂの上流端部を第４軸Ｃ４の周りに回動可能に支持する。
一方、給紙トレイ２の押し込み動作において、第３支持部７４は、トレイ押し込み方向Ｊ２における第２整流部材６Ｂの下流端部を第４軸Ｃ４の周りに回動可能に支持する。第３支持部７４は、第３連結凸部６ｊ３を挟むように下方に開放するＵ字状（逆Ｕ字状）を有する。
【００５３】
第２リンク部材７５は、給紙トレイ２の移動に連動して、第２整流部材６Ｂと第４支持部７６とを連結（連係）する。
図９に示すように、給紙トレイ２の引き出し動作において、第２リンク部材７５は、トレイ引き出し方向Ｊ１における第２整流部材６Ｂの下流端部を第５軸Ｃ５（第４軸Ｃ４と実質的に平行な軸）と共に変位可能に支持する第２長孔部７５ａを有する。
一方、給紙トレイ２の押し込み動作において、第２長孔部７５ａは、トレイ押し込み方向Ｊ２における第２整流部材６Ｂの上流端部を第５軸Ｃ５と共に変位可能に支持する。図中符号８３（図６参照）は、第２リンク部材７５の回動位置を規制するための第２ストッパを示す。
【００５４】
第２リンク部材７５は、上面視でクランク形状を有する（図６参照）。第２リンク部材７５は、Ｖ字形状を有する。第２リンク部材７５は、第１延在部７５ｂ１、第２延在部７５ｂ２および連結部７５ｂ３（図６参照）を備える。
【００５５】
第１延在部７５ｂ１は、第２長孔部７５ａを有する。第２長孔部７５ａは、第１延在部７５ｂ１に沿って延在する。第２長孔部７５ａは、トレイ引き出し方向Ｊ１における第１延在部７５ｂ１の上流部に位置する。
第２延在部７５ｂ２は、下方に指向する。第２延在部７５ｂ２は、第６軸Ｃ６の周りに回動可能に支持される。
連結部７５ｂ３は、装置幅方向Ｗ１に延在する（図６参照）。連結部７５ｂ３は、トレイ引き出し方向Ｊ１における第１延在部７５ｂ１の下流端と第２延在部７５ｂ２の上端とを連結する。
【００５６】
第４支持部７６は、装置本体３の天壁３１（図２２（Ａ）参照）に固定される。第４支持部７６は、給紙トレイ２の移動に連動して、第２リンク部材７５を第６軸Ｃ６（第４軸Ｃ４と実質的に平行な軸）の周りに回動可能に支持する。
【００５７】
給紙トレイ２の引き出し動作において、第４支持部７６は、トレイ引き出し方向Ｊ１における第２リンク部材７５の下流端部を第６軸Ｃ６の周りに回動可能に支持する。
一方、給紙トレイ２の押し込み動作において、第４支持部７６は、トレイ押し込み方向Ｊ２における第２リンク部材の上流端部を第６軸Ｃ６の周りに回動可能に支持する。第４支持部７６は、第２リンク部材７５（第２延在部７５ｂ２）の一面に沿う側面を有するＬ字状をなしている（図１０参照）。
【００５８】
当て部材７３は、給紙トレイ２の移動に連動して第２リンク部材７５または第２整流部材６Ｂに当接する。
当て部材７３は、給紙トレイ２の引き出し動作の際に第２整流部材６Ｂの湾曲下面６ｆ２に当接し、第５軸Ｃ５が上方に変位するように第２整流部材６Ｂを第４軸Ｃ４の周りに回動させる。これにより、当て部材７３は、第２リンク部材７５を第６軸Ｃ６の周りに回動させる。
【００５９】
当て部材７３は、給紙トレイ２の押し込み動作の際に第２リンク部材７５の第２延在部７５ｂ２に当接し、第５軸Ｃ５が上方に変位するように第２リンク部材７５を第６軸Ｃ６の周りに回動させる。これにより、当て部材７３は、第２整流部材６Ｂが給紙トレイ２から退避するように第２整流部材６Ｂを第４軸Ｃ４の周りに回動させる。
【００６０】
給紙トレイ２の引き出し動作の一例について説明する。給紙トレイ２の引き出し動作は、装置本体３の収容部３０から給紙トレイ２を引き出す動作（取り出す動作）を意味する。
図１３は、第１実施形態の給紙トレイ２の引き出し動作を示す側面図である。図１４から図１６は、図１３に順次続く、給紙トレイ２の引き出し動作を示す側面図である。
【００６１】
給紙トレイ２の引き出し動作は、図中矢印Ｊ１方向（押し込み方向とは反対方向）に作用する。例えば、トレイ収容状態から給紙トレイ２を矢印Ｊ１方向に徐々に移動させることにより、トレイ取り出し状態とすることができる（図１３から図１６参照）。退避機構７は、給紙トレイ２の引き出し動作の際に第１整流部材６Ａおよび第２整流部材６Ｂのそれぞれが給紙トレイ２から退避するように給紙トレイ２の移動に連動して第１整流部材６Ａおよび第２整流部材６Ｂのそれぞれを変位させる。
【００６２】
給紙トレイ２の押し込み動作の一例について説明する。給紙トレイ２の押し込み動作は、装置本体３の収容部３０に対して給紙トレイ２を押し込む動作を意味する。
図１７は、第１実施形態の給紙トレイ２の押し込み動作を示す側面図である。図１８から図２０は、図１７に順次続く、給紙トレイ２の押し込み動作を示す側面図である。
【００６３】
給紙トレイ２の押し込み動作は、図中矢印Ｊ２方向（引き出し方向とは反対方向）に作用する。例えば、トレイ取り出し状態から給紙トレイ２を矢印Ｊ２方向に徐々に移動させることにより、トレイ収容状態とすることができる（図１７から図２０参照）。退避機構７は、給紙トレイ２の押し込み動作の際に第１整流部材６Ａおよび第２整流部材６Ｂのそれぞれが給紙トレイ２から退避するように給紙トレイ２の移動に連動して第１整流部材６Ａおよび第２整流部材６Ｂのそれぞれを変位させる。
【００６４】
給紙トレイ２の引き出し動作の際の退避機構７の動作の一例について説明する。
図２１は、第１実施形態の給紙トレイ２の引き出し動作の際の退避機構７のトレイ引き出し方向Ｊ１上流部の動作説明図である。図２１（Ａ）は、給紙トレイ２の初期位置を示す側面図である。図２１（Ｂ）から図２１（Ｅ）は、図２１（Ａ）に順次続く、給紙トレイ２を初期位置よりもトレイ引き出し方向Ｊ１下流位置に移動させた状態を示す側面図である。
図２２は、第１実施形態の給紙トレイ２の引き出し動作の際の退避機構７のトレイ引き出し方向Ｊ１下流部の動作説明図である。図２２（Ａ）から図２２（Ｅ）は、図２１（Ｅ）に順次続く、給紙トレイ２を図２１（Ｅ）の位置よりもトレイ引き出し方向Ｊ１下流位置に移動させた状態を示す側面図である。図中符号Ｈ１は、当て部材７３の上面を通る仮想水平線を示す。
【００６５】
給紙トレイ２の初期位置は、トレイ収容状態における給紙トレイ２の位置を意味する。すなわち、給紙トレイ２の初期位置は、給紙トレイ２を収容部３０（図１３参照）から引き出す前の位置である。図２１（Ａ）に示すように、給紙トレイ２の初期位置において、第１リンク部材７１の第３角部７１ｂ３は、当て部材７３の凹部７３ａに入り込んでいる。給紙トレイ２の初期位置において、第１整流部材６Ａの湾曲下面６ｆ２は、仮想水平線Ｈ１よりも下方に位置する。図２１（Ａ）の状態では、第１リンク部材７１は、第１整流部材６Ａの自重が作用するとともに第１ストッパ８１に当接することにより定位置に位置している。
【００６６】
図２１（Ｂ）に示すように、給紙トレイ２の初期位置から給紙トレイ２を矢印Ｊ１方向に移動すると、当て部材７３の凹部７３ａ底端（トレイ引き出し方向上流端）は、第１リンク部材７１の第３角部７１ｂ３に当接する。すると、第１リンク部材７１は、第２軸Ｃ２が上方に変位するように第３軸Ｃ３の周りに矢印Ｒ１方向（図中右回り）に回動する。このとき、第２軸Ｃ２は、第１長孔部７１ａに沿って移動する。これにより、第１整流部材６Ａは、給紙トレイ２から退避するように第１軸Ｃ１の周りに矢印Ｒ２方向（図中左回り）に回動する。すなわち、第１整流部材６Ａは、給紙トレイ２から退避するように上方へ変位する。このとき、第１整流部材６Ａの湾曲下面６ｆ２は、仮想水平線Ｈ１と重なる。
【００６７】
図２１（Ｃ）に示すように、給紙トレイ２を図２１（Ｂ）の位置よりも矢印Ｊ１方向に移動すると、当て部材７３は、第１整流部材６Ａの湾曲下面６ｆ２に触れつつ第１整流部材６Ａを避けながら移動する。図２１（Ｃ）の状態では、トレイ引き出し方向Ｊ１における当て部材７３の下流端は、第１整流部材６Ａの湾曲下面６ｆ２に触れている。このとき、第１整流部材６Ａは、最も上方に変位している。第１整流部材６Ａの湾曲下面６ｆ２が下方に凸の湾曲形状を有することで、当て部材７３の矢印Ｖ１方向への移動に連動して第１整流部材６Ａを上方へスムーズに変位させることができる。
【００６８】
図２１（Ｄ）に示すように、給紙トレイ２を図２１（Ｃ）の位置よりも矢印Ｊ１方向に移動すると、第１整流部材６Ａは、当て部材７３による支持がなくなる。すると、第１整流部材６Ａは、第２軸Ｃ２が下方に変位するように第１軸Ｃ１の周りに矢印Ｒ３方向（図中右回り）に回動する。すなわち、第１整流部材６Ａは、自重により下方へ変位する。このとき、第１リンク部材７１は、第１整流部材６Ａの移動に連動して第３軸Ｃ３の周りに矢印Ｒ４方向（図中左回り）に回動する。すなわち、第１リンク部材７１は、第１整流部材６Ａの自重により下方へ変位する。
【００６９】
図２１（Ｅ）に示すように、給紙トレイ２を図２１（Ｄ）の位置よりも矢印Ｊ１方向に移動すると、第１整流部材６Ａは、給紙トレイ２の外部空間２ｓ２に変位する。このとき、第１整流部材６Ａの湾曲下面６ｆ２は、仮想水平線Ｈ１よりも下方に位置する。すなわち、第１整流部材６Ａは、給紙トレイ２の初期位置のときと同じ状態となる。
【００７０】
図２２（Ａ）に示すように、給紙トレイ２を図２１（Ｅ）の位置よりも矢印Ｊ１方向に移動すると、当て部材７３は、第２整流部材６Ｂに向かって移動する。当て部材７３が第２整流部材６Ｂに当接する前、第２整流部材６Ｂの湾曲下面６ｆ２は、仮想水平線Ｈ１よりも下方に位置する。図２２（Ａ）の状態では、第２リンク部材７５は、第２整流部材６Ｂの自重が作用するとともに第２ストッパ８３に当接することにより定位置に位置している。
【００７１】
図２２（Ｂ）に示すように、給紙トレイ２を図２２（Ａ）の位置よりも矢印Ｊ１方向に移動すると、当て部材７３は、第２整流部材６Ｂの湾曲下面６ｆ２に当接する。すると、第２整流部材６Ｂは、第５軸Ｃ５が上方に変位するように第４軸Ｃ４の周りに矢印Ｒ５方向（図中右回り）に回動する。このとき、第５軸Ｃ５は、第２長孔部７５ａに沿って移動する。これにより、第２整流部材６Ｂは、給紙トレイ２から退避するように上方へ変位する。このとき、第２リンク部材７５は、第２整流部材６Ｂの移動に連動して第６軸Ｃ６の周りに矢印Ｒ６方向（図中左回り）に回動する。図２２（Ｂ）の状態で、第２整流部材６Ｂの湾曲下面６ｆ２は、仮想水平線Ｈ１と重なる。
【００７２】
図２２（Ｃ）に示すように、給紙トレイ２を図２２（Ｂ）の位置よりも矢印Ｊ１方向に移動すると、当て部材７３は、第２整流部材６Ｂの湾曲下面６ｆ２に触れつつ第２整流部材６Ｂを避けながら移動する。図２２（Ｃ）の状態では、トレイ引き出し方向Ｊ１における当て部材７３の上流端は、第２整流部材６Ｂの湾曲下面６ｆ２に触れている。このとき、第２整流部材６Ｂは、最も上方に変位している。第２整流部材６Ｂの湾曲下面６ｆ２が下方に凸の湾曲形状を有することで、当て部材７３の矢印Ｊ１方向への移動に連動して第２整流部材６Ｂを上方へスムーズに変位させることができる。
【００７３】
図２２（Ｄ）に示すように、給紙トレイ２を図２２（Ｃ）の位置よりも矢印Ｊ１方向に移動すると、第２整流部材６Ｂは、当て部材７３による支持がなくなる。すると、第２整流部材６Ｂは、第５軸Ｃ５が下方に変位するように第４軸Ｃ４の周りに矢印Ｒ７方向（図中左回り）に回動する。すなわち、第２整流部材６Ｂは、自重により下方へ変位する。このとき、第２リンク部材７５は、第２整流部材６Ｂの移動に連動して第６軸Ｃ６の周りに矢印Ｒ８方向（図中右回り）に回動する。すなわち、第２リンク部材７５は、第２整流部材６Ｂの自重により下方へ変位する。
【００７４】
図２２（Ｅ）に示すように、給紙トレイ２を図２２（Ｄ）の位置よりも矢印Ｊ１方向に移動すると、第２整流部材６Ｂは、給紙トレイ２の外部空間２ｓ２に変位する。このとき、第２整流部材６Ｂの湾曲下面６ｆ２は、仮想水平線Ｈ１よりも下方に位置する。すなわち、第２整流部材６Ｂは、当て部材７３が第２整流部材６Ｂに当接する前と同じ状態となる。図２２（Ｅ）の状態で、第２リンク部材７５の第２延在部７５ｂ２の下端部は、仮想水平線Ｈ１よりも下方に位置する。
【００７５】
給紙トレイ２の押し込み動作の際の退避機構７の動作の一例について説明する。
図２３は、第１実施形態の給紙トレイ２の押し込み動作の際の退避機構７のトレイ押し込み方向Ｊ２上流部の動作説明図である。図２３（Ａ）は、給紙トレイ２の取り出し位置を示す側面図である。図２３（Ｂ）から図２３（Ｅ）は、図２３（Ａ）に順次続く、給紙トレイ２を図２３（Ａ）の位置よりもトレイ押し込み方向Ｊ２下流位置に移動させた状態を示す側面図である。
図２４は、第１実施形態の給紙トレイ２の押し込み動作の際の退避機構７のトレイ押し込み方向Ｊ２下流部の動作説明図である。図２４（Ａ）から図２４（Ｅ）は、図２３（Ｅ）に順次続く、給紙トレイ２を図２３（Ｅ）の位置よりもトレイ押し込み方向Ｊ２下流位置に移動させた状態を示す側面図である。
【００７６】
給紙トレイ２の取り出し位置は、トレイ取り出し状態における給紙トレイ２の位置を意味する。すなわち、給紙トレイ２の取り出し位置は、給紙トレイ２を収容部３０（図１７参照）から引き出した後の位置である。図２３（Ａ）に示すように、給紙トレイ２の取り出し位置において、第２リンク部材７５の第２延在部７５ｂ２の下端部は、仮想水平線Ｈ１よりも下方に位置する。給紙トレイ２の取り出し位置において、第２整流部材６Ｂの湾曲下面６ｆ２は、仮想水平線Ｈ１よりも下方に位置する。図２３（Ａ）の状態では、第２リンク部材７５は、第２整流部材６Ｂの自重が作用するとともに第２ストッパ８３に当接することにより定位置に位置している。
【００７７】
図２３（Ｂ）に示すように、給紙トレイ２の取り出し位置から給紙トレイ２を矢印Ｊ２方向に移動すると、当て部材７３は、第２リンク部材７５の第２延在部７５ｂ２の下端部に当接する。すると、第２リンク部材７５は、第５軸Ｃ５が上方に変位するように第６軸Ｃ６の周りに矢印Ｒ１１方向（図中左回り）に回動する。このとき、第５軸Ｃ５は、第２長孔部７５ａに沿って移動する。これにより、第２整流部材６Ｂは、給紙トレイ２から退避するように第３軸Ｃ３の周りに矢印Ｒ１２方向（図中右回り）に回動する。すなわち、第２整流部材６Ｂは、給紙トレイ２から退避するように上方へ変位する。このとき、第２整流部材６Ｂの湾曲下面６ｆ２は、仮想水平線Ｈ１と重なる。
【００７８】
図２３（Ｃ）に示すように、給紙トレイ２を図２３（Ｂ）の位置よりも矢印Ｊ２方向に移動すると、当て部材７３は、第２整流部材６Ｂの湾曲下面６ｆ２に触れつつ第２整流部材６Ｂを避けながら移動する。図２３（Ｃ）の状態では、トレイ押し込み方向Ｊ２における当て部材７３の下流端は、第２整流部材６Ｂの湾曲下面６ｆ２に触れている。このとき、第２整流部材６Ｂは、最も上方に変位している。第２整流部材６Ｂの湾曲下面６ｆ２が下方に凸の湾曲形状を有することで、当て部材７３の矢印Ｊ２方向への移動に連動して第２整流部材６Ｂを上方へスムーズに変位させることができる。
【００７９】
図２３（Ｄ）に示すように、給紙トレイ２を図２３（Ｃ）の位置よりも矢印Ｊ２方向に移動すると、第２整流部材６Ｂは、当て部材７３による支持がなくなる。すると、第２整流部材６Ｂは、第５軸Ｃ５が下方に変位するように第４軸Ｃ４の周りに矢印Ｒ１３方向（図中左回り）に回動する。すなわち、第２整流部材６Ｂは、自重により下方へ変位する。このとき、第２リンク部材７５は、第２整流部材６Ｂの移動に連動して第６軸Ｃ６の周りに矢印Ｒ１４方向（図中右回り）に回動する。すなわち、第２リンク部材７５は、第２整流部材６Ｂの自重により下方へ変位する。
【００８０】
図２３（Ｅ）に示すように、給紙トレイ２を図２３（Ｄ）の位置よりも矢印Ｊ２方向に移動すると、第２整流部材６Ｂは、給紙トレイ２の内部空間２ｓ１に変位する。このとき、第２整流部材６Ｂの湾曲下面６ｆ２は、仮想水平線Ｈ１よりも下方に位置する。すなわち、第２整流部材６Ｂは、給紙トレイ２の取り出し位置のときと同じ状態となる。
【００８１】
図２４（Ａ）に示すように、給紙トレイ２を図２３（Ｅ）の位置よりも矢印Ｊ２方向に移動すると、当て部材７３は、第１整流部材６Ａに向かって移動する。当て部材７３が第１整流部材６Ａに当接する前、第１整流部材６Ａの湾曲下面６ｆ２は、仮想水平線Ｈ１よりも下方に位置する。図２４（Ａ）の状態では、第１リンク部材７１は、第１整流部材６Ａの自重が作用するとともに第１ストッパ８１に当接することにより定位置に位置している。
【００８２】
図２４（Ｂ）に示すように、給紙トレイ２を図２４（Ａ）の位置よりも矢印Ｊ２方向に移動すると、当て部材７３は、第１整流部材６Ａの湾曲下面６ｆ２に当接する。すると、第１整流部材６Ａは、第２軸Ｃ２が上方に変位するように第１軸Ｃ１の周りに矢印Ｒ１５方向（図中左回り）に回動する。このとき、第２軸Ｃ２は、第１長孔部７１ａに沿って移動する。すなわち、第１整流部材６Ａは、給紙トレイ２から退避するように上方へ変位する。このとき、第１リンク部材７１は、第１整流部材６Ａの移動に連動して第３軸Ｃ３の周りに矢印Ｒ１６方向（図中右回り）に回動する。図２４（Ｂ）の状態で、第１整流部材６Ａの湾曲下面６ｆ２は、仮想水平線Ｈ１と重なる。
【００８３】
図２４（Ｃ）に示すように、給紙トレイ２を図２４（Ｂ）の位置よりも矢印Ｊ２方向に移動すると、当て部材７３は、第１整流部材６Ａの湾曲下面６ｆ２に触れつつ第１整流部材６Ａを避けながら移動する。図２４（Ｃ）の状態では、トレイ押し込み方向Ｊ２における当て部材７３の上流端は、第１整流部材６Ａの湾曲下面６ｆ２に触れている。このとき、第１整流部材６Ａは、最も上方に変位している。第１整流部材６Ａの湾曲下面６ｆ２が下方に凸の湾曲形状を有することで、当て部材７３の矢印Ｊ２方向への移動に連動して第１整流部材６Ａを上方へスムーズに変位させることができる。
【００８４】
図２４（Ｄ）に示すように、給紙トレイ２を図２４（Ｃ）の位置よりも矢印Ｊ２方向に移動すると、第１整流部材６Ａは、当て部材７３による支持がなくなる。すると、第１整流部材６Ａは、第２軸Ｃ２が下方に変位するように第１軸Ｃ１の周りに矢印Ｒ１７方向（図中右回り）に回動する。すなわち、第１整流部材６Ａは、自重により下方へ変位する。このとき、第１リンク部材７１は、第１整流部材６Ａの移動に連動して第３軸Ｃ３の周りに矢印Ｒ１８方向（図中左回り）に回動する。すなわち、第１リンク部材７１は、第１整流部材６Ａの自重により下方へ変位する。
【００８５】
図２４（Ｅ）に示すように、給紙トレイ２を図２４（Ｄ）の位置よりも矢印Ｊ２方向に移動すると、第１整流部材６Ａは、給紙トレイ２の内部空間２ｓ１に変位する。このとき、第１整流部材６Ａの湾曲下面６ｆ２は、仮想水平線Ｈ１よりも下方に位置する。すなわち、第１整流部材６Ａは、給紙トレイ２の初期位置のときと同じ状態となる。図２４（Ｅ）の状態で、第１リンク部材７１の第３角部７１ｂ３は、当て部材７３の凹部７３ａに入り込んでいる。
【００８６】
第１実施形態によれば、給紙装置１は、給紙トレイ２と、装置本体３と、ファン４と、整流部材６と、退避機構７と、を持つ。給紙トレイ２は、複数枚の用紙が積層した用紙束１０を載置可能である。装置本体３は、給紙トレイ２を収容可能な収容部３０を有する。ファン４は、風を発生可能である。整流部材６は、給紙トレイ２が収容部３０に収容された状態で、給紙トレイ２に載置された用紙束１０の上方に位置する。整流部材６は、給紙トレイ２が収容部３０に収容された状態で、ファン４からの風によって用紙束１０における最上位用紙１１との間に負圧を発生させる。退避機構７は、給紙トレイ２の引き出し動作および押し込み動作の両動作の際に整流部材６が給紙トレイ２から退避するように給紙トレイ２の移動に連動して整流部材６を変位させる。以上の構成によって、以下の効果を奏する。
仮に整流部材６が用紙束１０の上方の定位置に固定されている場合、用紙補給などのために給紙トレイ２を取り出す際、整流部材６が妨げになる可能性がある。これに対し実施形態によれば、退避機構７の作用により、給紙トレイ２の移動に連動して整流部材６を変位させ、整流部材６を給紙トレイ２から退避させることができる。したがって、給紙トレイ２を移動する際、整流部材６が妨げになることを抑制することができる。
【００８７】
退避機構７は、給紙トレイ２が収容部３０に収容された状態で整流部材６を給紙トレイ２の内部空間２ｓ１に変位させる。退避機構７は、給紙トレイ２が収容部３０から取り出された状態で整流部材６を給紙トレイ２の外部空間２ｓ２に変位させる。以上の構成によって、以下の効果を奏する。
トレイ収容状態では、整流部材６を用紙束１０の上方の定位置に配置することができる。そのため、整流部材６の作用を効果的に発揮することができる。
一方、トレイ取り出し状態では、給紙トレイ２の上方に整流部材６は存在せず、給紙トレイ２は上方に開放される。そのため、給紙トレイ２に用紙束１０を補給する際、整流部材６が妨げになることを抑制することができる。
【００８８】
退避機構７は、装置本体３に固定され、トレイ引き出し方向Ｊ１における整流部材６の下流端部を第１軸Ｃ１の周りに回動可能に支持する第１支持部７０と、トレイ引き出し方向Ｊ１における整流部材６の上流端部を第２軸Ｃ２と共に変位可能に支持する第１長孔部７１ａを有する第１リンク部材７１と、装置本体３に固定され、トレイ引き出し方向Ｊ１における第１リンク部材７１の上流端部を第３軸Ｃ３の周りに回動可能に支持する第２支持部７２と、給紙トレイ２に固定され、給紙トレイ２の引き出し動作の際に第１リンク部材７１に当接し、第２軸Ｃ２が上方に変位するように第１リンク部材７１を第３軸Ｃ３の周りに回動させることにより、整流部材６が給紙トレイ２から退避するように整流部材６を第１軸Ｃ１の周りに回動させる当て部材７３と、を備える。以上の構成によって、以下の効果を奏する。
装置本体３側に第１支持部７０、第１リンク部材７１および第２支持部７２を設け、給紙トレイ２側に当て部材７３を設けた簡単な構造で、トレイ引き出し動作の際の連動動作を実現することができる。
【００８９】
退避機構７は、装置本体３に固定され、トレイ押し込み方向Ｊ２における整流部材６の上流端部を第１軸Ｃ１の周りに回動可能に支持する第１支持部７０と、トレイ押し込み方向Ｊ２における整流部材６の下流端部を第２軸Ｃ２と共に変位可能に支持する第１長孔部７１ａを有する第１リンク部材７１と、装置本体３に固定され、トレイ押し込み方向Ｊ２における第１リンク部材７１の下流端部を第３軸Ｃ３の周りに回動可能に支持する第２支持部７２と、給紙トレイ２に固定され、給紙トレイ２の押し込み動作の際に整流部材６に当接し、第２軸Ｃ２が上方に変位するように整流部材６を第１軸Ｃ１の周りに回動させることにより、第１リンク部材７１を第３軸Ｃ３の周りに回動させる当て部材７３と、を備える。以上の構成によって、以下の効果を奏する。
装置本体３側に第１支持部７０、第１リンク部材７１および第２支持部７２を設け、給紙トレイ２側に当て部材７３を設けた簡単な構造で、トレイ押し込み動作の際の連動動作を実現することができる。
【００９０】
第１リンク部材７１は、下方に凸の三角形状を有する。第１リンク部材７１は、第１長孔部７１ａを有する第１角部７１ｂ１と、第３軸Ｃ３の周りに回動可能に支持される第２角部７１ｂ２と、下方に凸の第３角部７１ｂ３と、を備える。当て部材７３は、給紙トレイ２の引き出し動作の際に第１リンク部材７１の第３角部７１ｂ３に当接する。以上の構成によって、以下の効果を奏する。
第１リンク部材７１を三角形状とした簡単な構成で、トレイ引き出し動作の際の連動動作を実現することができる。
【００９１】
当て部材７３は、トレイ引き出し方向Ｊ１における当て部材７３の下流端から上流側に向けて窪む凹部７３ａを有する。凹部７３ａには、給紙トレイ２が収容部３０に収容された状態で第１リンク部材７１の第３角部７１ｂ３が入り込む。以上の構成によって、以下の効果を奏する。
トレイ収容状態で第１リンク部材７１の第３角部７１ｂ３が当て部材７３の凹部７３ａに入り込むため、トレイ引き出し方向Ｊ１において給紙装置１を小型化することができる。
【００９２】
整流部材６は、複数設けられる。複数の整流部材６は、第１整流部材６Ａと、トレイ引き出し方向Ｊ１における第１整流部材６Ａの下流側に配置された第２整流部材６Ｂと、を備える。退避機構７は、装置本体３に固定され、トレイ引き出し方向Ｊ１における第２整流部材６Ｂの上流端部を第４軸Ｃ４の周りに回動可能に支持する第３支持部７４と、トレイ引き出し方向Ｊ１における整流部材６の下流端部を第５軸Ｃ５と共に変位可能に支持する第２長孔部７５ａを有する第２リンク部材７５と、装置本体３に固定され、トレイ引き出し方向Ｊ１における第２リンク部材７５の下流端部を第６軸Ｃ６の周りに回動可能に支持する第４支持部７６と、を更に備える。当て部材７３は、給紙トレイ２の引き出し動作の際に第２整流部材６Ｂに当接し、第５軸Ｃ５が上方に変位するように第２整流部材６Ｂを第４軸Ｃ４の周りに回動させることにより、第２リンク部材７５を第６軸Ｃ６の周りに回動させる。以上の構成によって、以下の効果を奏する。
装置本体３側に第３支持部７４、第２リンク部材７５および第４支持部７６を設け、給紙トレイ２側に当て部材７３を設けた簡単な構造で、トレイ引き出し動作の際の第２整流部材６Ｂの連動動作を実現することができる。加えて、整流部材６が１つのみ配置される場合と比較して、最上位用紙１１を広い範囲で浮き上がらせやすい。
【００９３】
整流部材６は、複数設けられる。複数の整流部材６は、第１整流部材６Ａと、トレイ押し込み方向Ｊ２における第１整流部材６Ａの上流側に配置された第２整流部材６Ｂと、を備える。退避機構７は、装置本体３に固定され、トレイ押し込み方向Ｊ２における第２整流部材６Ｂの下流端部を第４軸Ｃ４の周りに回動可能に支持する第３支持部７４と、トレイ押し込み方向Ｊ２における整流部材６の上流端部を第５軸Ｃ５と共に変位可能に支持する第２長孔部７５ａを有する第２リンク部材７５と、装置本体３に固定され、トレイ押し込み方向Ｊ２における第２リンク部材７５の上流端部を第６軸Ｃ６の周りに回動可能に支持する第４支持部７６と、を更に備える。当て部材７３は、給紙トレイ２の押し込み動作の際に第２リンク部材７５に当接し、第５軸Ｃ５が上方に変位するように第２リンク部材を第６軸Ｃ６の周りに回動させることにより、第２整流部材６Ｂが給紙トレイ２から退避するように第２整流部材６Ｂを第４軸Ｃ４の周りに回動させる。以上の構成によって、以下の効果を奏する。
装置本体３側に第３支持部７４、第２リンク部材７５および第４支持部７６を設け、給紙トレイ２側に当て部材７３を設けた簡単な構造で、トレイ押し込み動作の際の第２整流部材６Ｂの連動動作を実現することができる。加えて、整流部材６が１つのみ配置される場合と比較して、最上位用紙１１を広い範囲で浮き上がらせやすい。
【００９４】
第２リンク部材７５は、Ｖ字形状を有する。第２リンク部材７５は、第２長孔部７５ａを有する第１延在部７５ｂ１と、第１延在部７５ｂ１に連結され、下方に指向する第２延在部７５ｂ２と、を備える。当て部材７３は、給紙トレイ２の押し込み動作の際に第２リンク部材７５の第２延在部７５ｂ２に当接する。以上の構成によって、以下の効果を奏する。
第２リンク部材７５をＶ字形状とした簡単な構成で、トレイ押し込み動作の際の第２整流部材６Ｂの連動動作を実現することができる。
【００９５】
給紙トレイ２は、トレイ引き出し方向Ｊ１における給紙トレイ２の上流端部および下流端部の両方に配置されたトレイ側板２７，２８を備える。各トレイ側板２７，２８は、ファン４からの風が最上位用紙１１の上面と整流部材６の下面との間に向けて流れるように開口する送風口２７ａ，２８ａを有する。以上の構成によって、以下の効果を奏する。
送風口が用紙束１０の側面に向けて開口する場合と比較して、最上位用紙１１の上面１１ａと整流部材６の下面６ｆ２との間に負圧を発生しやすい。そのため、給紙トレイ２に載置された用紙束１０から最上位用紙１１を分離しやすい。加えて、トレイ側板２７，２８によって用紙束１０をトレイ引き出し方向Ｊ１で位置決めすることにより（用紙束１０を仕切ることにより）、トレイ側板２７，２８と用紙束１０との間の隙間は可及的に小さくなる。そのため、トレイ側板２７，２８と用紙束１０との間に風を流れにくくすることができる。したがって、最上位用紙１１の上面１１ａと整流部材６の下面６ｆ２との間に効率良く風を流すことができる。
【００９６】
給紙トレイ２は、用紙束１０を載置可能な用紙載置部２６を有する。ファン４は、給紙トレイ２における用紙載置部２６とは反対側の側部に固定される。ファン４は、送風口２７ａに向けて開口する吹き出し口４Ａｈを有する。以上の構成によって、以下の効果を奏する。
ファン４の吹き出し口４Ａｈが送風口２７ａとは異なる方向に向けて開口する場合と比較して、ファン４からの風の導風経路を短縮化することができる。具体的に、ファン４の吹き出し口４Ａｈが上方（送風口２７ａが位置する部分）へ向けて開口することで、ファン４の吹き出し口４Ａｈが下方に向けて開口する場合と比較して、ファン４からの風の導風経路を短くすることができる。
【００９７】
トレイ側板２７，２８は、上下方向に延在する。送風口２７ａ，２８ａは、トレイ側板２７，２８の上端部に位置する。給紙装置１は、ファン４の吹き出し口４Ａｈ，４Ｂｈからの風がトレイ側板２７，２８の送風口２７ａ，２８ａに向けて流れるようにトレイ側板２７，２８の上端部とファン４とを接続するダクト５を更に備える。以上の構成によって、以下の効果を奏する。
ダクト５を通じてファン４の吹き出し口４Ａｈ，４Ｂｈからの風をトレイ側板２７，２８の送風口２７ａ，２８ａに向けて流すことができる。
【００９８】
退避機構７は、送風口２７ａ，２８ａを避けた位置に配置されていることで、以下の効果を奏する。
送風口２７ａ，２８ａから風を流出する際、退避機構７が妨げになることを抑制することができる。
【００９９】
整流部材６は、翼型形状を有することで、以下の効果を奏する。
整流部材６が平板形状を有する場合と比較して、整流部材６と最上位用紙１１との間に高い負圧（すなわち低い圧力）を発生させやすい。したがって、給紙トレイ２に載置された用紙束１０から最上位用紙１１を容易に分離することができる。
【０１００】
送風口２７ａ，２８ａは、装置幅方向Ｗ１における最上位用紙１１の中央部に位置する。整流部材６Ａ，６Ｂの最下面は、送風口２７ａ，２８ａの上端よりも下方に位置する。以上の構成によって、以下の効果を奏する。
送風口２７ａ，２８ａが装置幅方向Ｗ１における最上位用紙１１の端部に位置する場合と比較して、最上位用紙１１を効率的に浮かすことができる。
【０１０１】
整流部材６Ａ，６Ｂは、トレイ収容状態で最上位用紙１１の上方に位置する。整流部材６Ａ，６Ｂの最下面は、トレイ側板２７，２８の上端よりも下方に位置する。以上の構成によって、以下の効果を奏する。
最上位用紙１１の浮き過ぎを抑制することができる。加えて、トレイ側板２７，２８によって最上位用紙１１が位置決めされるため、浮いた最上位用紙１１の向きを変化させずに給紙することができる。このようにトレイ収容状態では整流部材６Ａ，６Ｂの最下面がトレイ側板２７，２８の上端よりも下方に位置する必要がある。そのため、給紙トレイ２の引き出し動作および押し込み動作の両動作の際に整流部材６を給紙トレイ２から退避させるための退避機構７が必要となる。
【０１０２】
以下、第２実施形態について説明する。
第１実施形態では、退避機構７が第１支持部７０、第１リンク部材７１、第２支持部７２および当て部材７３を備える場合について説明したが、これに限らない。第２実施形態は、退避機構の構成が上記第１実施形態と異なる。第２実施形態において上記第１実施形態と同様の構成については同一の符号を付し、その詳細説明は省略する。
【０１０３】
図２５は、第２実施形態の退避機構１０７の動作説明図である。図２５（Ａ）は、給紙トレイ２の初期位置を示す側面図である。図２５（Ｂ）は、給紙トレイ２を初期位置よりもトレイ引き出し方向Ｊ１下流位置に移動させた状態を示す側面図である。
図２５に示すように、退避機構１０７は、ピン部材１７０と当接部１７３とを備えてもよい。
【０１０４】
ピン部材１７０は、装置本体３の天壁３１に固定される。ピン部材１７０は、整流部材１０６を上下方向に変位可能に支持する。ピン部材１７０は、複数（例えば２つ）設けられる。以下、トレイ引き出し方向Ｊ１における整流部材１０６の上流部を支持するピン部材１７０を「第１ピン部材１７１」、トレイ引き出し方向Ｊ１における整流部材１０６の下流部を支持するピン部材１７０を「第２ピン部材１７２」ともいう。
【０１０５】
第１ピン部材１７１は、トレイ引き出し方向Ｊ１における整流部材１０６の上流部を上下方向に変位可能に支持する。第１ピン部材１７１は、逆Ｔ字形状を有する。
第２ピン部材１７２は、トレイ引き出し方向Ｊ１における整流部材１０６の下流部を上下方向に変位可能に支持する。第２ピン部材１７２は、第１ピン部材１７１と実質的に平行な軸部を有する逆Ｔ字形状をなす。
【０１０６】
図中において、符号１０６ｍ１はトレイ引き出し方向Ｊ１における整流部材１０６の上流部に形成された第１ガイド溝、符号１０６ｍ２はトレイ引き出し方向Ｊ１における整流部材１０６の下流部に形成された第２ガイド溝をそれぞれ示す。第１ピン部材１７１の下端部は、第１ガイド溝１０６ｍ１に沿って上下方向に変位可能である。第２ピン部材１７２の下端部は、第２ガイド溝１０６ｍ２に沿って上下方向に変位可能である。
【０１０７】
当接部１７３は、給紙トレイ２の第１トレイ側板１２７の上端部に設けられる。すなわち、当接部１７３は、給紙トレイ２の第１トレイ側板１２７の上端部である。当接部１７３は、給紙トレイ２の引き出し動作および押し込み動作の両動作の際に整流部材１０６の湾曲下面１０６ｆ２に当接する。これにより、当接部１７３は、整流部材１０６が給紙トレイ２から退避するように給紙トレイ２の移動に連動して整流部材１０６を上方に変位させる。
【０１０８】
給紙トレイ２の引き出し動作の際の第２実施形態の退避機構の動作の一例について図２５を用いて説明する。図２５においては、給紙トレイ２の引き出し動作を説明し、給紙トレイ２の押し込み動作については説明を省略する。図中符号Ｈ２は、当接部１７３の上端を通る仮想水平線を示す。
【０１０９】
図２５（Ａ）に示すように、給紙トレイ２の初期位置において、当接部１７３は、整流部材１０６から離反している。給紙トレイ２の初期位置において、整流部材１０６の湾曲下面１０６ｆ２は、仮想水平線Ｈ２よりも下方に位置する。図２５（Ａ）の状態では、整流部材１０６は、自重により定位置に位置している。
【０１１０】
図２５（Ｂ）に示すように、給紙トレイ２の初期位置から給紙トレイ２を矢印Ｊ１方向に移動すると、当接部１７３は、整流部材１０６の湾曲下面１０６ｆ２に当接する。すると、整流部材１０６は、給紙トレイ２から退避するように矢印Ｕ１方向（上方）へ変位する。本変形例では、整流部材１０６は、第１ピン部材１７１および第２ピン部材１７２のそれぞれに沿って上方へ変位する。このとき、整流部材１０６の湾曲下面１０６ｆ２は、仮想水平線Ｈ２と重なる。
そして、給紙トレイ２を図２５（Ｂ）の位置よりも矢印Ｊ１方向に移動すると、当接部１７３は、整流部材１０６の湾曲下面１０６ｆ２に触れつつ整流部材１０６を避けながら移動する。
【０１１１】
第２実施形態によれば、退避機構１０７は、装置本体３に固定され、整流部材１０６を上下方向に変位可能に支持するピン部材１７０と、給紙トレイ２に設けられ、給紙トレイ２の引き出し動作および押し込み動作の両動作の際に整流部材１０６に当接し、整流部材１０６が給紙トレイ２から退避するように給紙トレイ２の移動に連動して整流部材１０６を上方に変位させる当接部１７３と、を備える。以上の構成によって、以下の効果を奏する。
退避機構が第１支持部７０、第１リンク部材７１、第２支持部７２および当て部材７３を備える場合よりも簡単な構造で、トレイ引き出し動作およびトレイ押し込み動作の際の連動動作を実現することができる。
【０１１２】
ピン部材１７０は、複数設けられる。複数のピン部材１７０は、トレイ引き出し方向Ｊ１における整流部材１０６の上流部を上下方向に変位可能に支持する第１ピン部材１７１と、トレイ引き出し方向Ｊ１における整流部材１０６の下流部を上下方向に変位可能に支持する第２ピン部材１７２と、を備える。以上の構成によって、以下の効果を奏する。
ピン部材１７０が１つのみ設けられる場合と比較して、整流部材１０６をより一層安定して支持することができる。
【０１１３】
整流部材１０６は、下方に向けて凸をなすように湾曲する湾曲下面１０６ｆ２を有する。給紙トレイ２は、トレイ引き出し方向Ｊ１における給紙トレイ２の上流端部に配置されたトレイ側板１２７を備える。当接部１７３は、トレイ側板１２７の上端部に設けられる。当接部１７３は、給紙トレイ２の引き出し動作および押し込み動作の両動作の際に整流部材１０６の湾曲下面１０６ｆ２に当接する。以上の構成によって、以下の効果を奏する。
トレイ引き出し動作およびトレイ押し込み動作の際の当接部１７３の移動に連動して整流部材１０６を上方へスムーズに変位させることができる。
【０１１４】
第２実施形態の変形例について説明する。
第２実施形態では、当接部１７３が上下方向に延在するトレイ側板の上端部である場合について説明したが、これに限らない。第２実施形態の変形例は、当接部の形状が上記第２実施形態と異なる。本変形例において上記第２実施形態と同様の構成については同一の符号を付し、その詳細説明は省略する。
【０１１５】
図２６は、第２実施形態の変形例のトレイ側板２２７の側面図である。
図２６に示すように、当接部２７３は、鉛直線に対して斜めに傾斜するテーパー形状を有してもよい。当接部２７３は、トレイ引き出し方向Ｊ１において上端が最上流に位置し且つ下端が最下流に位置するように傾斜する傾斜面２７３ａを有する。本変形例において、送風口２２７ａは、図２５（Ａ）の位置よりも下方に位置する。
【０１１６】
本変形例によれば、当接部２７３は、鉛直線に対して斜めに傾斜するテーパー形状を有することで、以下の効果を奏する。
当接部２７３が上下方向に延在するトレイ側板１２７の上端部である場合と比較して、トレイ引き出し動作の際の当接部２７３の移動に連動して整流部材１０６を上方へより一層スムーズに変位させることができる。加えて、当接部２７３が整流部材１０６の側面（湾曲下面１０６ｆ２ではない面）に当接した場合でも、整流部材１０６を上方へ変位させることができる。
【０１１７】
第３実施形態について説明する。
第２実施形態では、退避機構１０７がピン部材１７０と当接部１７３とを備える場合について説明したが、これに限らない。第３実施形態は、退避機構の構成が上記第２実施形態と異なる。第３実施形態において上記第２実施形態と同様の構成については同一の符号を付し、その詳細説明は省略する。
【０１１８】
図２７は、第３実施形態の退避機構３０７の動作説明図である。図２７（Ａ）は、給紙トレイ２の初期位置を示す側面図である。図２７（Ｂ）は、給紙トレイ２を初期位置よりもトレイ引き出し方向Ｊ１下流位置に移動させた状態を示す側面図である。
図２７に示すように、退避機構３０７は、連結部材３７０と当接部１７３とを備えてもよい。
【０１１９】
連結部材３７０は、整流部材３０６を回動可能に支持する。連結部材３７０は、装置本体３の天壁３１に回動可能に連結される。連結部材３７０は、複数（例えば２つ）設けられる。以下、トレイ引き出し方向Ｊ１における整流部材３０６の上流部を支持する連結部材３７０を「第１連結部材３７１」、トレイ引き出し方向Ｊ１における整流部材３０６の下流部を支持する連結部材３７０を「第２連結部材３７２」ともいう。
【０１２０】
第１連結部材３７１は、棒状を有する。第１連結部材３７１は、第１上部回動部３７１ａと第１下部回動部３７１ｂとを備える。第１上部回動部３７１ａは、装置本体３の天壁３１に第７軸Ｃ７（装置幅方向Ｗ１と実質的に平行な軸）の周りに回動可能に連結される。第１下部回動部３７１ｂは、トレイ引き出し方向Ｊ１における整流部材３０６の上流部を第８軸Ｃ８（第７軸Ｃ７と実質的に平行な軸）の周りに回動可能に支持する。
【０１２１】
第２連結部材３７２は、第１連結部材３７１と実質的に平行な棒状を有する。第２連結部材３７２は、第２上部回動部３７２ａと第２下部回動部３７２ｂとを備える。第２上部回動部３７２ａは、装置本体３の天壁３１に第９軸Ｃ９（第７軸Ｃ７と実質的に平行な軸）の周りに回動可能に連結される。第２下部回動部３７２ｂは、トレイ引き出し方向Ｊ１における整流部材３０６の下流部を第１０軸Ｃ１０（第７軸Ｃ７と実質的に平行な軸）の周りに回動可能に支持する。
【０１２２】
図中において、符号３０６ｊ１はトレイ引き出し方向Ｊ１における整流部材３０６の上流部に設けられた第１凸部、符号３０６ｊ２はトレイ引き出し方向Ｊ１における整流部材３０６の下流部に設けられた第２凸部をそれぞれ示す。第１連結部材３７１の下端部（第１下部回動部３７１ｂ）は、第１凸部３０６ｊ１を第８軸Ｃ８の周りに回動可能に支持する。第２連結部材３７２の下端部（第２下部回動部３７２ｂ）は、第２凸部３０６ｊ２を第１０軸Ｃ１０の周りに回動可能に支持する。
【０１２３】
給紙トレイ２の引き出し動作の際の第３実施形態の退避機構の動作の一例について図２７を用いて説明する。図２７においては、給紙トレイ２の引き出し動作を説明し、給紙トレイ２の押し込み動作については説明を省略する。図中符号Ｈ２は、当接部１７３の上端を通る仮想水平線を示す。
【０１２４】
図２７（Ａ）に示すように、給紙トレイ２の初期位置において、当接部１７３は、整流部材３０６から離反している。給紙トレイ２の初期位置において、整流部材３０６の湾曲下面３０６ｆ２は、仮想水平線Ｈ１よりも下方に位置する。図２７（Ａ）の状態では、整流部材３０６は、自重により定位置に位置している。
【０１２５】
図２７（Ｂ）に示すように、給紙トレイ２の初期位置から給紙トレイ２を矢印Ｊ１方向に移動すると、当接部１７３は、整流部材３０６の湾曲下面３０６ｆ２に当接する。すると、整流部材３０６は、給紙トレイ２から退避するように上方へ変位する。本実施形態では、整流部材３０６は、第１連結部材３７１が第７軸Ｃ７の周りに矢印Ｒ２１方向（図中右回り）に回動し、第２連結部材３７２が第９軸Ｃ９の周りに矢印Ｒ２２方向（図中右回り）に回動することにより、斜め上方へ変位する。このとき、整流部材３０６の湾曲下面３０６ｆ２は、仮想水平線Ｈ２と重なる。
そして、給紙トレイ２を図２７（Ｂ）の位置よりも矢印Ｊ１方向に移動すると、当接部１７３は、整流部材３０６の湾曲下面３０６ｆ２に触れつつ整流部材３０６を避けながら移動する。
【０１２６】
第３実施形態のトレイ側板および整流部材３０６の配置について図２８を用いて説明する。図中において、符号Ｅ１はトレイ側板１２７の送風口１２７ａ上方側面の長さ（以下「送風口上方長さ」ともいう。）、符号Ｄ１はトレイ側板１２７と整流部材３０６との間隔（以下「第１間隔」ともいう。）、符号Ｄ２は最上位用紙１１と整流部材３０６との間隔（以下「第２間隔」ともいう。）をそれぞれ示す。送風口上方長さＥ１は、トレイ側板１２７の上端と送風口１２７ａの上端との間の最短距離を意味する。第１間隔Ｄ１は、トレイ側板１２７と整流部材３０６との間のトレイ引き出し方向Ｊ１における最短距離を意味する。第２間隔Ｄ２は、最上位用紙１１の上面１１ａと整流部材３０６の湾曲下面３０６ｆ２との間の最短距離を意味する。
【０１２７】
第３実施形態では、少ない流量で効率良く最上位用紙１１を浮かせるために、以下のように設定する。
送風口上方長さＥ１は、送風口１２７ａから流出する風が漏れなく最上位用紙１１の上面と整流部材３０６の湾曲下面３０６ｆ２との間に向けて流れるように可及的に長く設定する。
第１間隔Ｄ１は、送風口１２７ａから流出する風が漏れなく最上位用紙１１の上面と整流部材３０６の湾曲下面３０６ｆ２との間に向けて流れるように可及的に狭く設定する。
第２間隔Ｄ２は、送風口１２７ａから流出する風によって最上位用紙１１の上面と整流部材３０６の湾曲下面３０６ｆ２との間に負圧が発生しやすいように可及的に狭く設定する。
【０１２８】
第３実施形態によれば、退避機構３０７は、整流部材３０６を支持し、装置本体３に回動可能に連結される連結部材３７０と、給紙トレイ２に設けられ、給紙トレイ２の引き出し動作および押し込み動作の両動作の際に整流部材３０６に当接し、整流部材３０６が給紙トレイ２から退避するように給紙トレイ２の移動に連動して整流部材３０６を上方に変位させる当接部１７３と、を備える。以上の構成によって、以下の効果を奏する。
退避機構７が第１支持部７０、第１リンク部材７１、第２支持部７２および当て部材７３を備える場合よりも簡単な構造で、トレイ引き出し動作およびトレイ押し込み動作の際の連動動作を実現することができる。
【０１２９】
連結部材３７０は、複数設けられる。複数の連結部材３７０は、トレイ引き出し方向Ｊ１における整流部材３０６の上流部を支持し、装置本体３に回動可能に連結される第１連結部材３７１と、トレイ引き出し方向Ｊ１における整流部材３０６の下流部を支持し、装置本体３に回動可能に連結される第２連結部材３７２と、を備える。以上の構成によって、以下の効果を奏する。
連結部材３７０が１つのみ設けられる場合と比較して、整流部材３０６をより一層安定して支持することができる。
【０１３０】
連結部材３７０は、整流部材３０６を回動可能に支持する下部回動部３７１ｂ，３７２ｂを備えることで、以下の効果を奏する。
連結部材３７０が整流部材３０６を固定的に支持する場合と比較して、トレイ引き出し動作およびトレイ押し込み動作の際の当接部１７３の移動に連動して整流部材３０６を上方へより一層スムーズに変位させることができる。
【０１３１】
上述の実施形態では、給紙装置１が画像形成装置９０の用紙収容部９４の側部に隣接して配置された場合（用紙収容部９４の用紙収容量を拡張するための大容量拡張ユニットとして機能する場合）について説明したが、これに限らない。例えば、給紙装置は、用紙収容部９４の最下段に配置されてもよい。言い換えると、給紙装置の給紙トレイは、用紙収容部９４の少なくとも一部のカセットとして機能してもよい。すなわち、画像形成装置は、給紙装置を備えてもよい。
【０１３２】
上述の実施形態では、給紙装置１をプリンタ等の画像形成装置９０に適用した場合について説明したが、これに限らない。例えば、給紙装置を、金融機器、郵便区分機、印刷機、複写機、ファクシミリ及び複合機などに適用してもよい。また、複合機は、業務用でもオフィス用でもよく、多種類の紙を備えたものであってもよい。また、給紙装置は、用紙さばき装置に適用してもよい。また、給紙装置は、紙だけでなく、積層されたシート状のものを取り出す装置に適用してもよい。
【０１３３】
上述の実施形態では、用紙を供給するための給紙装置１について説明したが、これに限らない。例えば、用紙に替えて、二次電池の薄膜電極に適用してもよい。すなわち、給紙装置に替えて、薄膜電極を供給するための電極供給装置に適用してもよい。電極供給装置は、電極供給トレイ（不図示、給紙トレイ２に相当）と、装置本体３と、ファン４と、整流部材６と、退避機構７と、を持つ。電極供給トレイは、複数枚の薄膜電極が積層した電極束を載置可能である。装置本体３は、電極供給トレイを収容可能な収容部３０を有する。ファン４は、風を発生可能である。整流部材６は、電極供給トレイが収容部３０に収容された状態で、電極供給トレイに載置された電極束の上方に位置する。整流部材６は、電極供給トレイが収容部３０に収容された状態で、ファン４からの風によって電極束における最上位電極との間に負圧を発生させる。退避機構７は、電極供給トレイの引き出し動作および押し込み動作の両動作の際に整流部材６が電極供給トレイから退避するように電極供給トレイの移動に連動して整流部材６を変位させる。
【０１３４】
上述の実施形態では、退避機構が給紙トレイ２の引き出し動作および押し込み動作の両動作の際に整流部材が給紙トレイ２から退避するように給紙トレイ２の移動に連動して整流部材６を変位させる場合について説明したが、これに限らない。例えば、退避機構は、給紙トレイ２の引き出し動作の際のみに整流部材が給紙トレイ２から退避するように給紙トレイ２の移動に連動して整流部材を変位させてもよい。例えば、退避機構は、給紙トレイ２の押し込み動作の際のみに整流部材が給紙トレイ２から退避するように給紙トレイ２の移動に連動して整流部材を変位させてもよい。すなわち、退避機構は、給紙トレイ２の引き出し動作および押し込み動作の少なくとも一方の動作の際に整流部材が給紙トレイ２から退避するように給紙トレイ２の移動に連動して整流部材を変位させればよい。
【０１３５】
上述の実施形態では、トレイ側板がトレイ引き出し方向Ｊ１における給紙トレイ２の上流端部および下流端部の両方に配置された場合について説明したが、これに限らない。例えば、トレイ側板は、トレイ引き出し方向Ｊ１における給紙トレイ２の上流端部のみに配置されてもよい。例えば、トレイ側板は、トレイ引き出し方向Ｊ１における給紙トレイ２の下流端部のみに配置されてもよい。すなわち、トレイ側板は、トレイ引き出し方向Ｊ１における給紙トレイ２の上流端部および下流端部の少なくとも一方に配置されてもよい。
【０１３６】
上述の実施形態では、整流部材が用紙束１０の上方に配置され、複数の整流部材がトレイ引き出し方向Ｊ１における天壁３１の上流部および下流部に１つずつ配置される場合について説明したが、これに限らない。例えば、トレイ引き出し方向Ｊ１における天壁３１の上流部および下流部のそれぞれには、複数の整流部材が配置されてもよい。この構成によれば、複数の整流部材と最上位用紙１１との間のそれぞれに風を送り込むことができる。例えば、用紙サイズが予め設定した閾値（以下「サイズ閾値」という。）よりも大きい場合（例えばＡ３サイズ以上）でも、最上位用紙１１を安定して分離することができる。
【０１３７】
上述の実施形態では、整流部材が用紙束１０の上方に複数配置される場合について説明したが、これに限らない。例えば、整流部材は、用紙束１０の上方に１つのみ配置されてもよい。例えば、１つの整流部材は、トレイ引き出し方向Ｊ１における天壁３１の上流部および下流部のうちいずれか１つに配置されてもよい。
【０１３８】
上述の実施形態では、用紙載置部２６の上下方向位置が一定に保持される場合について説明したが、これに限らない。例えば、用紙載置部２６は、給紙時に最上位用紙１１の上下方向位置が略変わらないように上昇してもよい。これにより、最上位用紙１１を安定して分離することができる。すなわち、エアアシスト効果を一定に保つことができる。
【０１３９】
以上述べた少なくともひとつの実施形態によれば、複数枚の用紙が積層した用紙束１０を載置可能な給紙トレイ２と、給紙トレイ２を収容可能な収容部３０を有する装置本体３と、風を発生可能なファン４と、給紙トレイ２が収容部３０に収容された状態で、給紙トレイ２に載置された用紙束１０の上方に位置し、ファン４からの風によって用紙束１０における最上位用紙１１との間に負圧を発生させる整流部材６と、給紙トレイ２の引き出し動作および押し込み動作の少なくとも一方の動作の際に整流部材６が給紙トレイ２から退避するように給紙トレイ２の移動に連動して整流部材６を変位させる退避機構７と、を備えることにより、給紙トレイ２を移動する際、整流部材６が妨げになることを抑制することができる給紙装置１を提供することができる。
【０１４０】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１４１】
１…給紙装置、２…給紙トレイ、２ｓ１…内部空間、２ｓ２…外部空間、３…装置本体、４…ファン、４Ａ…第１ファン（ファン）、４Ａｈ…吹き出し口、４Ｂ…第２ファン（ファン）、４Ｂｈ…吹き出し口、５…ダクト、５Ａ…第１ダクト（ダクト）、５Ｂ…第２ダクト（ダクト）、６…整流部材、６Ａ…第１整流部材（整流部材）、６Ｂ…第２整流部材（整流部材）、６ｆ２…湾曲下面、７…退避機構、１０…用紙束、１１…最上位用紙、１１ａ…最上位用紙の上面、２７…第１トレイ側板（トレイ側板）、２７ａ…第１送風口（送風口）、２８…第２トレイ側板（トレイ側板）、２８ａ…第２送風口、３０…収容部、７０…第１支持部、７１…第１リンク部材、７１ａ…第１長孔部（長孔部）、７１ｂ１…第１角部、７１ｂ２…第２角部、７１ｂ３…第３角部、７２…第２支持部、７３…当て部材、７３ａ…凹部、７４…第３支持部、７５…第２リンク部材、７５ａ…第２長孔部、７５ｂ１…第１延在部、７５ｂ２…第２延在部、７６…第４支持部、９０…画像形成装置、１０６…整流部材、１０６ｆ２…湾曲下面、１０７…退避機構、１２７…トレイ側板、１２７ａ…送風口、１７０…ピン部材、１７１…第１ピン部材（ピン部材）、１７２…第２ピン部材（ピン部材）、１７３…当接部、２２７…トレイ側板、２２７ａ…送風口、２７３…当接部、２７３ａ…傾斜面、３０６…整流部材、３０６ｆ２…湾曲下面、３０７…退避機構、３７０…連結部材、３７１…第１連結部材（連結部材）、３７１ｂ…第１下部回動部（下部回動部）、３７２…第２連結部材（連結部材）、３７２ｂ…第２下部回動部（下部回動部）、Ｃ１…第１軸、Ｃ２…第２軸、Ｃ３…第３軸、Ｃ４…第４軸、Ｃ５…第５軸、Ｃ６…第６軸、Ｊ１…トレイ引き出し方向、Ｊ２…トレイ押し込み方向
【図１】
2020152459.tif 000003
【図２】
2020152459.tif 000004
【図３】
2020152459.tif 000005
【図４】
2020152459.tif 000006
【図５】
2020152459.tif 000007
【図６】
2020152459.tif 000008
【図７】
2020152459.tif 000009
【図８】
2020152459.tif 000010
【図９】
2020152459.tif 000011
【図１０】
2020152459.tif 000012
【図１１】
2020152459.tif 000013
【図１２】
2020152459.tif 000014
【図１３】
2020152459.tif 000015
【図１４】
2020152459.tif 000016
【図１５】
2020152459.tif 000017
【図１６】
2020152459.tif 000018
【図１７】
2020152459.tif 000019
【図１８】
2020152459.tif 000020
【図１９】
2020152459.tif 000021
【図２０】
2020152459.tif 000022
【図２１】
2020152459.tif 000023
【図２２】
2020152459.tif 000024
【図２３】
2020152459.tif 000025
【図２４】
2020152459.tif 000026
【図２５】
2020152459.tif 000027
【図２６】
2020152459.tif 000028
【図２７】
2020152459.tif 000029
【図２８】
2020152459.tif 000030